(57)【要約】【課題】  ＩＣカードを安定して保持することができるカードスロットを提供する。【解決手段】  Ｂ−ＣＡＳカードを挿入可能なカードスロット３３であって、カードスロット３３のカード挿入口に、カードスロット内に挿入されたＢ−ＣＡＳカードを固定する固定部材３３１を有している。  また、固定部材３３１は、Ｂ−ＣＡＳカード２が挿入された時に、カードスロット３３内に挿入されたＢ−ＣＡＳカード２に、カード挿入口方向から係合し、Ｂ−ＣＡＳカード２のカードスロット３３からの抜けを防止する爪部材３３３を有している。  従って、カードスロット３３内に挿入されたＢ−ＣＡＳカードをしっかりと固定して、振動等によるカード情報の読み出し不可や、カードスロットからのカードの外れを防止することができる。【選択図】        図７
2009104260.tif 000002
【特許請求の範囲】
【請求項１】
ＩＣカードを挿入可能なカードスロットであって、
前記カードスロットのカード挿入口に、前記カードスロット内に挿入された前記ＩＣカードを固定する固定部材を有し、
前記固定部材は、前記ＩＣカードが装着された時に、前記カードスロット内に挿入された前記ＩＣカードに前記カード挿入口方向から係合して、前記ＩＣカードの前記カードスロットからの抜けを防止する爪部材を有することを特徴とする請求項１記載のカードスロット。
【請求項２】
ＩＣカードを挿入可能なカードスロットを有する電子装置であって、
前記カードスロットのカード挿入口には前記カードスロット内に挿入された前記ＩＣカードを固定する固定部材を有し、
前記固定部材は、前記ＩＣカードが装着された時に、前記カードスロット内に挿入された前記ＩＣカードに前記カード挿入口方向から係合して、前記ＩＣカードの前記カードスロットからの抜けを防止する爪部材を有することを特徴とする電子装置。
【請求項３】
前記ＩＣカードの前記カードスロット内への挿入を検出する検出手段と、
前記検出手段によってＩＣカードの挿入を検出すると、前記電子装置に対して傾動可能な傾動部を傾動状態から前記カード挿入口を閉鎖する状態になることを許容する制御手段と、
を有することを特徴とする請求項２記載の電子装置。
【発明の詳細な説明】
【技術分野】
【０００１】
本発明は、ディジタルテレビの受信機能を備えた電子装置に関する。
【背景技術】
【０００２】
現行の地上アナログテレビジョン放送は、２０１１年の放送終了予定であり、その後は、地上デジタル放送へと移行する。
地上デジタル放送では、動画データ、音声データにコピー制御信号（ＣＣＩ（Copy Control Information）を加えた上で暗号化して送信される。視聴する際は、Ｂ−ＣＡＳ（BS-Conditional Access Systems）（登録商標）カードと呼ばれるＩＣカードに格納されている暗号鍵を用いて復号する必要がある。Ｂ−ＣＡＳカードのＩＣチップ内部には、カード毎に固有のＩＤ番号と暗号鍵が格納されている。 
【０００３】
ナビゲーション装置においても、現行のアナログ放送からディジタル放送に対応する必要があり、ナビゲーション装置へのＢ−ＣＡＳカードの搭載が検討されている（例えば、特許文献１参照）。
【０００４】
【特許文献１】特開２００６−１９１４３１号公報
【発明の開示】
【発明が解決しようとする課題】
【０００５】
しかしながらナビゲーション装置は、車両に搭載される機器であるため、車両の振動の影響を受ける。このため、Ｂ−ＣＡＳカードをナビゲーション装置内のカードスロットに挿入しても、車両の振動によりカード情報の読み出しができなくなったり、Ｂ−ＣＡＳカードがカードスロットから外れてしまうことも考えられる。
【０００６】
本発明は上記事情に鑑みてなされたものであり、ＩＣカードを安定して保持することができるカードスロット及び電子装置を提供することを目的とする。
【課題を解決するための手段】
【０００７】
かかる目的を達成するために本発明のカードスロットは、ＩＣカードを挿入可能なカードスロットであって、前記カードスロットのカード挿入口に、前記カードスロット内に挿入された前記ＩＣカードを固定する固定部材を有し、前記固定部材は、前記ＩＣカードが装着された時に、前記カードスロット内に挿入された前記ＩＣカードに前記カード挿入口方向から係合して、前記ＩＣカードの前記カードスロットからの抜けを防止する爪部材を有する構成としている。
本発明によれば、挿入されたＩＣカードをカードスロット内にしっかりと固定して、振動等によるカード情報の読み出し不可や、ＩＣカードのカードスロットからの抜けを防止することができる。
【０００８】
本発明の電子装置は、ＩＣカードを挿入可能なカードスロットを有する電子装置であって、前記カードスロットのカード挿入口には前記カードスロット内に挿入された前記ＩＣカードを固定する固定部材を有し、前記固定部材は、前記ＩＣカードが装着された時に、前記カードスロット内に挿入された前記ＩＣカードに前記カード挿入口方向から係合して、前記ＩＣカードの前記カードスロットからの抜けを防止する爪部材を有する構成としている。
本発明によれば、挿入されたＩＣカードをカードスロット内にしっかりと固定して、振動等によるカード情報の読み出し不可や、ＩＣカードのカードスロットからの抜けを防止することができる。
【０００９】
上記電子装置において、前記ＩＣカードの前記カードスロット内への挿入を検出する検出手段と、前記検出手段によってＩＣカードの挿入を検出すると、前記電子装置に対して傾動可能な傾動部を傾動状態から前記カード挿入口を閉鎖する状態になることを許容する制御手段とを有している。
従って、カードスロット内にＩＣカードが挿入されたことを検出して、傾動部を動作させるので、ＩＣカードの挟み込みを防止することができる。
【発明の効果】
【００１０】
本発明によれば、ＩＣカードをカードスロット内において安定して保持することができる。
【発明を実施するための最良の形態】
【００１１】
以下、添付図面を参照しながら本発明の好適な実施例を説明する。
【実施例】
【００１２】
まず、図１を参照しながら本実施例のシステム構成を説明する。
図１には本発明をＤＴＶ受信機を備えたナビゲーション装置１に搭載した実施例の構成を示す。
アンテナ１０は、ディジタルテレビジョン放送の放送電波を受信し、電気信号である放送信号に変換する。チューナ２１は、放送信号に所定の処理を施し、復調部及びＦＥＣ部２２にこれを出力する。復調部及びＦＥＣ部２２は、チューナ２１からの信号に関して復調及び誤り訂正処理を行い、ＴＳ（Ｔｒａｎｓｐｏｒｔ Ｓｔｒｅａｍ）デコーダ部２３に出力する。ＴＳデコーダ部２３は、音声データや映像データ及び番組情報等が多重化されている放送信号から、各データを分離する。デスクランブル部２４は、カードスロット３３にＩＣカード（本実施例では、Ｂ−ＣＡＳカード２）が挿入されている場合には、ＣＰＵ３２の制御に従って、復調された放送信号に付加されている不正視聴防止用のスクランブル信号を解除する。音声信号処理部２５は、デジタル圧縮された音声データをデコードし、アナログ信号に変換して、スピーカ１２に出力する。映像信号処理部２６は、デジタル圧縮された映像データをデコードして、ＲＢＧ信号に変換し、表示処理部２７に出力する。表示処理部２７は、ディスプレイ（傾動部に相当）１３にＲＧＢ信号を表示させる。
【００１３】
また、ＧＰＳ情報受信部２８は、ＧＰＳアンテナ１１を介して衛星からのＧＰＳ信号を受信し、受信したＧＰＳ信号をナビゲーション部２９に出力する。
ナビゲーション部２９は、ＧＰＳ信号に基づいてナビゲーション装置を搭載した車両の位置を割り出す。また、ナビゲーション部２９は、ハードディスク装置等の記憶媒体（不図示）に記憶された地図情報を読み出して、ナビゲーション動作のための画像（目的地までの地図と誘導経路とが表示された画像）を作成する。作成した画像は、表示処理部２７の処理でディスプレイ１３に表示させる。
【００１４】
ＣＰＵ（制御手段に相当）３２は、ＲＯＭ３１に格納されたプログラムを読み出し、このプログラムに従って処理ユニット２０の全体を制御する。また、ＲＡＭ３０には、ＣＰＵ３２が演算で使用するデータ等が格納される。
【００１５】
図２は、ナビゲーション装置１の車両への搭載例を示す。ナビゲーション装置１は、例えば図２に示すように、運転席５２と助手席５１とのほぼ中央のダッシュボード部分に配置される。なお、図示していないが、ＧＰＳ情報受信部２８のＧＰＳアンテナ１１は、ダッシュボード上に配置、またはフロントガラスの車室内側に貼り付けられている。
【００１６】
図３（Ａ）に、ナビゲーション装置１の外観形状を示し、図３（Ｂ）に、ナビゲーション装置１の前面に設けたディスプレイ（傾動部に相当）１３をチルトした状態を示す。
内部に制御用の基板等を納めた筐体１００のユーザ側前面部には、ディスプレイ１３が設けられており、ユーザのボタン操作等によってディスプレイ１３をチルトさせると、図３（Ｂ）に示すようにＢ−ＣＡＳカード２の挿入口と、ＣＤ、ＤＶＤの挿入口５３とが外部に露出する。筐体１００の前面にＢ−ＣＡＳカード２の挿入口を設けたことで、カードスロット３３へのＢ−ＣＡＳカード２の挿入が容易になる。
【００１７】
図４には、筐体１００の前面部の構成を示す。図４に示すように筐体１００の前面部には、Ｂ−ＣＡＳカード２の挿入口（カード挿入口に相当）５５と、ＳＤカード、ＳｍａｒｔＭｅｄｉａ（登録商標）等の記録媒体の挿入口５６とが設けられている。記録媒体には、ディジタルテレビのバージョンアップ用のソフトウェア等が記録されており、記録媒体の挿入によりデータを読み込んでバージョンアップを行う。
また、筐体１００の前面部には、筐体内の基板とディスプレイ１３とをフレキシブルプリント基板（不図示）によって接続するための開口５７と、外気をナビゲーション装置１の本体内に取り込むための導入口５８とが設けられている。
【００１８】
筐体１００の内部には、図５に示すように複数の基板、ホルダ、ヒートシンク、ＤＶＤデッキ、ハードディスク装置等が積層されている。図５に示す積層構造の一例では、上から上板６１、ＤＶＤデッキ６２、チューナ２１やカードスロット３３等を搭載した第１ディジタルテレビ用基板６３、ホルダ６４、ディジタルテレビ用の映像処理回路を搭載した第２ディジタルテレビ用基板６５、ヒートシンク６６、ホルダ６７、オーディオ基板６８、ハードディスク装置６９、ホルダ７０、ラジオのＡＭ、ＦＭチューナ、ＦＭのＶＩＣＳチューナ等が搭載された基板７１、底板７２の順に積層されている。
第２ディジタルテレビ用基板６５とホルダ６７との間に配置されたヒートシンク６６は、第２ディジタルテレビ用基板６５からの熱がオーディオ基板６８側に伝わらないように、また、オーディオ基板６８からの熱が第２ディジタルテレビ用基板６５側に伝わらないようにするための放熱板である。ヒートシンク６６に伝わった熱を後述するファンによって機外に排出する。
【００１９】
図６に、カードスロット３３の上面斜視図を示す。また、図７には、カードスロット３３のカード挿入口付近を拡大した要部拡大図を示す。
Ｂ−ＣＡＳカード２の挿入口付近には、Ｂ−ＣＡＳカード２をカードスロット３３内に固定するための固定部材３３１が設けられている。
【００２０】
図８に固定部材３３１の拡大図を示す。固定部材３３１は、支持部材３３２と爪部材３３３とを有している。
Ｂ−ＣＡＳカード２は、一度ユーザによってカードスロット３３内に挿入されると、カードスロット３３から挿脱する頻度は少ない。そこで、カードスロット３３のカード保持位置にＢ−ＣＡＳカード２が挿入されたときには、爪部材３３３によってＢ−ＣＡＳカード２がカードスロット３３内から抜け落ちないように、また、車両の振動によってＢ−ＣＡＳカード２のＩＣチップの読み取りエラーが生じないように、カード保持位置で安定するように固定するとよい。
このため、爪部材３３３は、図７に示すようにカード挿入口方向からＢ−ＣＡＳカード２に係合して、Ｂ−ＣＡＳカード２のカードスロット３３からの抜けを防止する。
また、爪部材３３３の高さＴは、Ｂ−ＣＡＳカード２の厚みよりも十分に高く、また、爪部材３３３と支持部材３３２とのなす角度θは、直角か、又は直角に近い角度で設けている。
爪部材３３３をこのような形状で形成することで、挿入されたＢ−ＣＡＳカード２をカードスロット３３内にしっかりと固定して、振動等によるカード情報の読み出し不可や、Ｂ−ＣＡＳカード２のカードスロット３３からの抜けを防止することができる。
【００２１】
また、カードスロット３３の上蓋は、図７に示すようにＢ−ＣＡＳカード２の挿入口方向に延出している。
Ｂ−ＣＡＳカード２がカードスロット３３内に不完全に挿入された状態で、ディスプレイ１３を起立状態としてしまった場合に、Ｂ−ＣＡＳカード２がディスプレイ１３に挟み込まれ、Ｂ−ＣＡＳカード２の変形、破損してしまう恐れがある。
しかしながら、図９に示すように上蓋３３４を挿入口方向に延出させておくことで、カードスロット３３内に挿入しきれなかったＢ−ＣＡＳカード２の先端と、ディスプレイ起立時にＢ−ＣＡＳカード２にかかる力の支点との距離が短くなり、Ｂ−ＣＡＳカード２の変形を防ぐことができる。
【００２２】
図１０に、カードスロット３３内に設けたセンサ（検出手段に相当）の配置位置を示す。カードスロット３３の長手方向であって、カード挿入口とは反対の奥側にはＢ−ＣＡＳカード２のＩＣチップに記録された記録情報を読み取るセンサ３３５が設けられている。
ＣＰＵ３２は、このセンサ３３５を用いてＩＣチップに記録された情報を読み取り、復調された放送信号に付加されている不正視聴防止のスクランブル信号を、読み取った情報を使用して解除させる。
また、カードスロット３３内には、Ｂ−ＣＡＳカード２の挿入を検出するセンサが設けられている。センサの取付け位置は、図１０に示すようにカードスロット３３の長手方向において、カード挿入口とは反対側の端部に設けてもよいし（図１０に示すセンサ３３６）、カードスロット３３の長手方向の中間部分に設けてもよいし（図１０に示すセンサ３３７）、カードスロット３３のカード挿入口付近に設けてもよい（図１０に示すセンサ３３８）。
センサ３３６、３３７、３３８の少なくとも１つから取得した情報を利用して、ＣＰＵ３２は、カードスロット３３内にＢ−ＣＡＳカード２が挿入されているか否かを判定する。
カードスロット３３内にＢ−ＣＡＳカード２が挿入されていると判定すると、ＣＰＵ３２は、ディスプレイ１３を傾倒状態から起立状態に戻し、筐体前面部が外部に露出しないようにする。
従って、カードスロット３３内にＢ−ＣＡＳカード２が挿入されたことを検出して、ディスプレイ１３を動作させるので、Ｂ−ＣＡＳカード２の挟み込みを防止することができる。
なお、カードスロット３３のカード挿入口とは反対側の端部にセンサ３３６を設けることによって、Ｂ−ＣＡＳカード２がカードスロット３３の奥まで完全に挿入されたか否かを判定することができる。また、センサ３３５の読み取り情報も利用することで、Ｂ−ＣＡＳカード２がカードスロット３３のカード保持位置に挿入できているかを判定することもできる。
【００２３】
図１１には、ナビゲーション装置１の筐体背面部の構成を示す。
図１１に示すように筐体背面部には、ファン８２、デジタルテレビ用コネタク８３や各種コネクタが設けられている。
【００２４】
上述した実施例は本発明の好適な実施例である。但し、これに限定されるものではなく、本発明の要旨を逸脱しない範囲内において種々変形実施可能である。
例えば、上述した実施例では、Ｂ−ＣＡＳカードを例に挙げて説明したが、ＩＣチップを搭載した記録媒体であれば本発明の適用範囲内である。
また、上述した実施例では、ナビゲーション装置を例に説明したが、ディジタルテレビ装置単独の構成であってもよい。
【図面の簡単な説明】
【００２５】
【図１】ナビゲーション装置のシステム構成を示すブロック図である。
【図２】ナビゲーション装置の車両での搭載位置の一例を示す図である。
【図３】（Ａ）はナビゲーション装置の外観形状を示し、（Ｂ）はナビゲーション装置の前面に設けたディスプレイをチルトした状態を示す。
【図４】ナビゲーション装置の筐体前面部を示す図である。
【図５】ナビゲーション装置内の構造及び基板の積層構造を示す図である。
【図６】カードスロットの上面斜視図である。
【図７】カードスロットのカード挿入口付近を拡大した要部拡大図である。
【図８】固定部材の拡大図である。
【図９】Ｂ−ＣＡＳカードの損傷を防止する上蓋の構成を説明するための図である。
【図１０】カードスロット内のセンサの配置を示す図である。
【図１１】ナビゲーション装置の筐体背面部を示す図である。
【符号の説明】
【００２６】
１  ナビゲーション装置        ２  Ｂ−ＣＡＳカード
１０  アンテナ                １１  ＧＰＳアンテナ
１２  スピーカ                １３  ディスプレイ
２０  処理ユニット            ２１  チューナ
２２  復調部及びＦＥＣ部      ２３  ＴＳデコーダ
２４  デスクランブル部        ２５  音声信号処理部
２６  映像信号処理部          ２７  表示処理部
２８  ＧＰＳ情報受信部        ２９  ナビゲーション部
３０  ＲＡＭ                  ３１  ＲＯＭ
３２  ＣＰＵ                  ３３  カードスロット
１００  筐体
【図１】
2009104260.tif 000003
【図２】
2009104260.tif 000004
【図３】
2009104260.tif 000005
【図４】
2009104260.tif 000006
【図５】
2009104260.tif 000007
【図６】
2009104260.tif 000008
【図７】
2009104260.tif 000009
【図８】
2009104260.tif 000010
【図９】
2009104260.tif 000011
【図１０】
2009104260.tif 000012
【図１１】
2009104260.tif 000013